(57)【要約】【課題】  強度及び剛性を低下するのを抑えつつ、台車等を地面から段差無く最下段の収納スペースに配置することが可能な収納箱を提供する。【解決手段】  両側板１の内面の後端部に形成した縦溝１１に背板２の両側端部を挿入するとともに、両側板１の内面に高さ方向に複数形成した前後の取付孔１２に選択的に取付具１３を介して棚板３の側端部を取り付ける収納箱４である。幅木本体５１の両側端部に前記側板１の内面に形成した取付孔１２に取付部材５３を介して取り付けられる取付部５２を設けて幅木５を構成し、この幅木５の両取付部５２を両側板１の内面の下端部近傍の後側の取付孔１２に取り付けた。【選択図】        図１
2005177184.tif 000002
【特許請求の範囲】
【請求項１】
両側板の内面の後端部に形成した縦溝に背板の両側端部を挿入するとともに、両側板の内面に高さ方向に複数形成した前後の取付孔に選択的に取付具を介して棚板の側端部を取り付ける収納箱において、幅木本体の両側端部に前記側板の内面に形成した取付孔に取付部材を介して取り付けられる取付部を設けて幅木を構成し、この幅木の両取付部を両側板の内面の下端部近傍の後側の取付孔に取り付けて成ることを特徴とする収納箱。
【発明の詳細な説明】
【技術分野】
【０００１】
本発明は、両側板の内面の後端部に形成した縦溝に背板の両側端部を挿入するとともに、両側板の内面に高さ方向に複数形成した前後の取付孔に選択的に取付具を介して棚板の側端部を取り付ける収納箱に関するものである。
【背景技術】
【０００２】
従来より、前方に開口して内部に上下に棚を設けた収納箱が用いられている。また、このような収納箱として、両側板の内面の後端部に形成した縦溝に背板の両側端部を挿入するとともに、両側板の内面に高さ方向に複数形成した前後の取付孔に選択的に取付具を介して棚板の側端部を取り付けるものも知られている。
【０００３】
このような収納箱は、地面又は床面（まとめて地面等という）上に設置されて用いられるが、地面等を走行する台車等を最下段の収納スペースに収納するには、地面と地板上面とに段差があって地板上の収納スペースに台車等を載せ難い。そこで、地板を無くすものが考えられるが（例えば特許文献１参照）。このものは、地板が無くても強度や剛性を維持出来るように背板と側板とを接着材や固着具で強固に固着している。このため、両側板の内面の後端部に形成した縦溝に背板の両側端部を挿入する収納箱においては、背板の下端部を地板の上挿入溝に挿入するため、地板を無くすと背板の固定が行われないとともに、収納箱としての強度及び剛性が低下するものであった。
【特許文献１】特開２００２−７０５６７号公報
【発明の開示】
【発明が解決しようとする課題】
【０００４】
本発明はこのような点に鑑みなされたものであって、その目的とするところは、強度及び剛性を低下するのを抑えつつ、台車等を地面から段差無く最下段の収納スペースに配置することが可能な収納箱を提供することを課題とするものである。
【課題を解決するための手段】
【０００５】
上記課題を解決するために請求項１に係る発明にあっては、両側板１の内面の後端部に形成した縦溝１１に背板２の両側端部を挿入するとともに、両側板１の内面に高さ方向に複数形成した前後の取付孔１２に選択的に取付具１３を介して棚板３の側端部を取り付ける収納箱４において、幅木本体５１の両側端部に前記側板１の内面に形成した取付孔１２に取付部材５３を介して取り付けられる取付部５２を設けて幅木５を構成し、この幅木５の両取付部５２を両側板１の内面の下端部近傍の後側の取付孔１２に取り付けて成ることを特徴とするものである。このような構成とすることで、両側板１の内面の後端部に形成した縦溝１１に背板２の両側端部を挿入するとともに、両側板１の内面に高さ方向に複数形成した前後の取付孔１２に選択的に取付具１３を介して棚板３の側端部を取り付ける収納箱４において、強度及び剛性を低下するのを抑えつつ、台車等を地面から段差無く最下段の収納スペースに配置することが可能となる。
【発明の効果】
【０００６】
本発明にあっては、強度及び剛性を低下するのを抑えつつ、台車等を地面から段差無く最下段の収納スペースに配置することが可能となる。
【発明を実施するための最良の形態】
【０００７】
以下、本発明の一実施形態について添付図面に基づいて説明する。
【０００８】
収納箱４は、図に示すように両側板１、背板２、棚板３、天板６で主体が構成される矩形の箱状をしたもので、前面及び下面が開口している。この収納箱４は特に図示しないが通常は背板２を部屋の壁面に沿うようにして配置される。
【０００９】
両側板１の内面には、後端部近傍に縦溝１１が形成してあり、背板２の側端部２１が嵌入される。
【００１０】
また、両側板１の内面には、棚板３及び天板６と後述する幅木５を取り付けるためダボ孔等の取付孔１２が上下に多数段となるように等間隔に設けてあり、各段にはそれぞれ前端近傍に前側の取付孔１２が形成してあるとともに後端近傍に後側の取付孔１２が形成してある。この取付孔１２にはダボ等の取付具１３を嵌入して取り付けることができるようになっている。そして、棚板３の側端部３１の下面の前記取付孔１２に対応する部分には、ダボ等の取付具１３が挿入される凹所３２が形成してあり、両側板１の内面に形成した取付孔１２に嵌入して取り付けられた取付具１３に棚板３の凹所３２を被嵌して載置し、棚板３を両側板１間に架設するものである。
【００１１】
この収納箱４は、両側板１の縦溝１１に背板２の両側端部をそれぞれ嵌入するとともに上下端部にそれぞれ天板６と後述する幅木５とを架設固定して外殻が形成される。天板６は、両側板１の内面の上端部に釘やビス等の固着具（図示せず）を用いるか接着剤を用いて固定される。そして、収納箱４の下端部においては幅木５を固定するのであるが、この幅木５の固定は棚板３を側板１に取り付けるための取付孔１２を利用して行う。
【００１２】
幅木５は、長手方向の長さが両側板１間の距離と同じに形成される棒状又は板状をしたもので、両側板１間の距離と同じに形成される。この幅木５の両側端部には釘やビス等の固着具５５ｂにて取付部５２が取り付けられる。取付部５２は、該取付部５２を幅木本体５１に固定するための固定片５５と、背板２を受けることとなる背板受け片５４とからなる。固定片５５は略矩形板状をしたもので、固着具挿通孔５５ａが穿設してあり、幅木本体５１の両側端部に該幅木本体５１の長手方向に直交するように固着具５５ｂを固着具挿通孔５５ａに挿通して幅木本体５１に固着するものである。固定片５５の後端からは、背板受け片５４が幅木本体５１の中央方向に向けて連設してあり、この取付部５２は平面視略Ｌ字状となっている。
【００１３】
幅木本体５１には、その上端面に背板２の下端部が挿入される受け溝５１ａが穿設してある。この受け溝５１ａと連続するように背板受け片５４の上端縁に切欠５４ａが形成してある（図４参照）。この幅木５の側板１への取り付けについて説明すると、図４に示すように、まず幅木本体５１に取付部５２を上述したように取り付け、背板受け片５４の固着具挿通孔５４ａにビスからなる取付部材５３を挿入して上述した側板１の内面下端部の後側の取付孔１２に固着して幅木５を側板１に固定する。
【００１４】
このような構成によれば、両側板１の下端部間に地板を設けるもの場合には、地板上の収納スペースに地面を走行する台車等を載せる場合に地面と地板上面とに段差が生じて地板上の収納スペースに台車等を載せ難いが、地板の代わりに幅木５を設けたことで、台車等を地面から段差無く最下段の収納スペースに配置することが可能となる。
【図面の簡単な説明】
【００１５】
【図１】本発明の一実施形態の斜視図である。
【図２】同上の幅木の斜視図である。
【図３】同上の全体分解斜視図である。
【図４】同上の幅木の側板への取り付けを説明する説明図である。
【符号の説明】
【００１６】
１    側板
１１  縦溝
１２  取付孔
１３  取付具
２    背板
３    棚板
４    収納箱
５    幅木
５１  幅木本体
５２  取付部
５３  取付部材
【図１】
2005177184.tif 000003
【図２】
2005177184.tif 000004
【図３】
2005177184.tif 000005
【図４】
2005177184.tif 000006